(57)【要約】      （修正有）【課題】部品を誤飲することを防止できる飾り台及び飾り台セットを提供する。【解決手段】飾り台１５は、載置面に載置される台２０と、台２０に立設される支持部材３０と、台２０に固定される雌ねじ部材としてのナット２２と、支持部材３０に固定される雄ねじ部材としての全ねじ３２と、を備える。ナット２２と全ねじ３２とが螺合された状態で、台２０と支持部材３０とが接合されている。【選択図】図４
0003231561.tif 000002
【実用新案登録請求の範囲】
【請求項１】
載置面に載置される台と、
前記台に立設される支持部材と、
前記台と前記支持部材のいずれか一方に固定される雌ねじ部材と、
前記台と前記支持部材のいずれか他方に固定される雄ねじ部材と、
を備え、
前記雌ねじ部材と前記雄ねじ部材とが螺合された状態で、前記台と前記支持部材とが接合されていることを特徴とする飾り台。
【請求項２】
前記雌ねじ部材と前記雄ねじ部材が露出しないように、前記台と前記支持部材とが接合されていることを特徴とする請求項１記載の飾り台。
【請求項３】
前記支持部材の上面又は側面に係止部が配設される請求項１又は２に記載の飾り台と、
前記係止部に係止可能な被係止部が配設される飾り体と、
を備えることを特徴とする飾り台セット。
【考案の詳細な説明】
【技術分野】
【０００１】
本考案は、飾り台及び飾り台セットに関するものである。
【背景技術】
【０００２】
従来の、名前旗等の吊るし飾り体に用いられる飾り台では、台と、柱状の支持部材と、を備えていた。そして、載置面側のほうが直径が大きい段付き孔を台に形成し、支持部材に下面から全ねじが突出するように配設し、段付き孔に全ねじを挿通させ、蝶ナットで締結して組み付けられるものがあった。
【考案の概要】
【考案が解決しようとする課題】
【０００３】
しかし、上記の飾り台では、全ねじの直径が小さく、それに伴い、蝶ナットの大きさも小さくなるので、蝶ナットが外れて、幼児が蝶ナットを誤飲するおそれがあった。
【０００４】
本考案は、上記事情に鑑み、部品を誤飲することを防止できる飾り台及び飾り台セットを提供することを目的とする。
【課題を解決するための手段】
【０００５】
請求項１記載の考案では、載置面に載置される台と、
前記台に立設される支持部材と、
前記台と前記支持部材のいずれか一方に固定される雌ねじ部材と、
前記台と前記支持部材のいずれか他方に固定される雄ねじ部材と、
を備え、
前記雌ねじ部材と前記雄ねじ部材とが螺合された状態で、前記台と前記支持部材とが接合されている。
【０００６】
これによれば、雌ねじ部材と雄ねじ部材とが螺合された状態で組み付けられ、かつ、雌ねじ部材と雄ねじ部材との螺合が解除されても、雌ねじ部材、雄ねじ部材は、台、支持部材に固定され一体化しているので、部品を誤飲することを防止できる。
【０００７】
また、前記雌ねじ部材と前記雄ねじ部材が露出しないように、前記台と前記支持部材とが接合されている。
【０００８】
これによれば、雌ねじ部材と雄ねじ部材が、大気に触れて腐食することを抑制することができる。
【０００９】
また、請求項３記載の考案では、前記支持部材の上面又は側面に係止部が配設される請求項１又は２に記載の飾り台と、
前記係止部に係止可能な被係止部が配設される飾り体と、
を備える。
【００１０】
これによれば、上記の効果を奏する飾り台セットとすることができる。
【図面の簡単な説明】
【００１１】
【図１】本考案の一実施形態としての飾り台セットの斜視図である。
【図２】台の斜視図である。
【図３】軸部材の下部の斜視図である。
【図４】雌ねじ部材、雄ねじ部材の取り付け時の説明図である。
【考案を実施するための形態】
【００１２】
本考案の飾り台セットの一実施形態について図面に基づいて説明する。以下の説明において、各図面において矢印が付される場合には、Ｆを前、Ｂを後ろ、Ｒを右、Ｌを左、Ｕを上、Ｄを下、とする。
【００１３】
飾り台セット１０は、図１〜４に示すとおり、飾り台１５と、飾り体としての名前旗４０と、を備えて構成される。
【００１４】
飾り台１５は、台２０と、支持部材３０と、を備える。
【００１５】
台２０は、木製で、円形平板状に形成されている。台２０には、上面から下面に向かう円形の有底孔として形成されたナット孔２１が配設されている。ナット孔２１には、雌ねじ部材としてのナット２２が嵌め込まれている。
【００１６】
支持部材３０は、木製で、長尺な四角柱状に形成されている。支持部材３０には、下面から上面に向かう円形の有底孔として形成されたねじ孔３１が配設されている。ねじ孔３１には、雄ねじ部材としての全ねじ３２が嵌め込まれている。
【００１７】
支持部材３０の側面の上部には、前面から後面に向かうとともに、前面に対して下方に傾斜する有底溝として形成された溝３３が配設されている。溝３３が、本実施形態では係止部となる。
【００１８】
名前旗４０は、布製で、長尺な矩形シート状に形成され、一枚の反物を折り返して外周縁部を縫合して形成されている。名前旗４０の上部は、短手方向の端部が開放され、円柱状の棒部材４２が挿通可能な挿通部４１が形成されている。
【００１９】
挿通部４１には、棒部材４２が挿通されている。棒部材４２の長手方向における端部には、被係止部としての紐部材４３が取り付けられ、支持部材３０の溝３３に係止可能（吊り下げ可能）とされている。
【００２０】
飾り台セット１０の使用態様を説明する。載置面Ｆに、ナット２２が上側となるように台２０を載置する。そして、支持部材３０を手に持ち、全ねじ３２とナット２２とを螺合することにより、台２０と支持部材３０とを接合する。このとき、全ねじ３２とナット２２は、露出しなくなる。これにより、使用時における、全ねじ３２とナット２２の錆つきを抑制することができる。
【００２１】
支持部材３０の溝３３に、名前旗４０の被係止部を係止（吊り下げて）して、節句用の飾り台セット１０として使用する。
【００２２】
片付けるときには、支持部材３０から名前旗４０を外して、全ねじ３２とナット２２との螺合を解除して、台２０から支持部材３０を外す。これにより、各部材ごとに分離される。
【００２３】
本考案を飾り台としてみれば、載置面Ｆに載置される台２０と、
台２０に立設される支持部材３０と、
台２０に固定される雌ねじ部材としてのナット２２と、
支持部材３０に固定される雄ねじ部材としての全ねじ３２と、
を備え、
ナット２２と全ねじ３２とが螺合された状態で、台２０と支持部材３０とが接合されている。
【００２４】
これによれば、ナット２２と全ねじ３２とが螺合された状態で組み付けられ、かつ、ナット２２と全ねじ３２との螺合が解除されても、ナット２２、全ねじ３２は、台２０、支持部材３０に固定され一体化しているので、部品を誤飲することを防止できる。
【００２５】
また、ナット２２と全ねじ３２が露出しないように、台２０と支持部材３０とが接合されている。
【００２６】
これによれば、ナット２２と全ねじ３２が、大気に触れて腐食することを抑制することができる。
【００２７】
また、飾り台セットとしてみれば、支持部材３０の側面に係止部としての溝３３が配設される飾り台１５と、
係止部としての溝３３に係止可能な被係止部としての紐部材４３が配設される飾り体としての名前旗４０と、
を備える。
【００２８】
これによれば、上記の効果を奏する飾り台セットとすることができる。
【００２９】
本考案の飾り台及び飾り台セットは上記構成に限定されるものではない。即ち、本考案の要旨を逸脱しない限り各種の設計変更等が可能である。以下に、変形した態様を例示する。
【００３０】
例えば、雌ねじ部材を台２０に、雄ねじ部材を支持部材３０に、固定していたが、雌ねじ部材を支持部材３０に、雄ねじ部材を台２０に、固定することも可能である。
【００３１】
また、係止部は、使用態様に応じて、支持部材３０の上面又は側面に適宜変更して配設することができる。
【００３２】
また、飾り体は、名前旗４０以外の吊るし飾り、節句用の弓矢、太刀等使用態様に応じて適宜変更することができる。それにともない、係止部、被係止部の形状を適宜変更することができる。
【符号の説明】
【００３３】
１０  飾り台セット
１５  飾り台
２０  台
２２  ナット
３０  支持部材
３２  全ねじ
３３  溝
４３  紐部材
Ｆ  載置面
【図１】
0003231561.tif 000003
【図２】
0003231561.tif 000004
【図３】
0003231561.tif 000005
【図４】
0003231561.tif 000006